【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
前面、背面、および長手方向端部を有する平坦なバー、
該長手方向端部に沿った歯状の突起部の列、
該前面から前方に突出している第一フック手段、ならびに
該背面から後方に突出している第二フック手段
を含む、電気泳動スラブゲルが平行で平坦な注型プレートの間で注型される際に該ゲルに試料ウェルの列を形成するために該プレートの対の間へ挿入するための装置であって、該第一および第二フック手段が、該歯状突起部が該注型プレートの間にある状態で該注型プレートをお互いから一定の距離をおいてお互いに平行に保つための形状である、装置。
【請求項２】
第一フック手段および第二フック手段のうちの一方が、前面に平行でありかつ該前面から均等に間隔をあけて配置されたタブの列である、請求項1記載の装置。
【請求項３】
第一フック手段が、前面に平行でありかつ該前面から均等に間隔をあけて配置された第一のタブの列であり、第二フック手段が、背面に平行でありかつ該背面から均等に間隔をあけて配置された第二のタブの列である、請求項1記載の装置。
【請求項４】
前面および背面が鉛直である場合、第二フック手段が第一フック手段よりも高い、請求項1記載の装置。
【請求項５】
(a) 対向する上端部および下端部と対向する側端部とを有する空洞を画定するゲルエンクロージャの矩形の平板形状の空洞に、ゲル形成モノマー溶液を配置する工程であって、該ゲルエンクロージャは、第一および第二の平坦なプラスチックプレートと、該プラスチックプレート間に事前選択された幅の間隙を有する該空洞の該側端部に沿って該プラスチックプレートを一緒に固定するための一又は複数の仕切りを含む、前記配置する工程；
(b)該ゲルを形成するように該モノマー溶液を重合させる工程；ならびに
(c)(b)の前、間、または後において、請求項1の装置を該エンクロージャに取り付け、スラブモノマー溶液または該ゲルによって該空洞の内側で発生する圧力によって生じる該プラスチックプレートに対する任意の外側方向の力に対抗するために該プラスチックプレートに力をかける工程
を含む、電気泳動のための試料ウェルを有するスラブゲルを注型するための方法。
【請求項６】
開口側部を有する平板形状の空洞を画定し、第一および第二の平坦なプラスチックプレートと、該プラスチックプレート間に事前選択された幅の間隙を有する状態で該プレートを一緒に固定するための手段とを含む、ゲルエンクロージャ、ならびに
スラブゲルが該空洞内に保持されて該プラスチックプレートに対して外側方向の力を加える場合に、該空洞の内側で発生する圧力に対抗して該事前選択された幅を維持するための脱着可能な手段
を含む、電気泳動スラブゲルを注型するための機器。
【請求項７】
事前選択された幅を維持するための脱着可能な手段が、ゲルエンクロージャの周りに脱着可能に配置されかつプラスチックプレートの外側表面に接触する外側エンクロージャを含み、該外側エンクロージャが、該ゲルエンクロージャの該プラスチックプレートよりも実質的により高い剛性を有する、請求項6記載の機器。
【請求項８】
事前選択された幅を維持するための脱着可能な手段が、積み重ねられたゲルエンクロージャの最も外側のプラスチックプレートの外側表面に接触しながら該積み重ねられたゲルエンクロージャを収容する外側エンクロージャを含み、該外側エンクロージャが、該ゲルエンクロージャのプラスチックプレートよりも実質的により高い剛性を有する、請求項6記載の機器。
【請求項９】
外側エンクロージャが収縮ラップである、請求項6または7記載の機器。
【請求項１０】
外側エンクロージャが硬質なボックスである、請求項6または7記載の機器。
【請求項１１】
長手方向端部を有する平坦なバーと該長手方向端部に沿った歯状の突起部の列とを含むウェル形成挿入体をさらに含む機器であって、該突起部が平板形状の空洞の内側に嵌合するサイズである、請求項6記載の機器。
【請求項１２】
対向する上端部および下端部と対向する側端部とを有する矩形の平板形状の空洞を画定し、第一および第二の平坦なプラスチックプレートと、該プラスチックプレート間に事前選択された幅の間隙を有する状態で該プレートを該空洞の該側端部に沿って一緒に固定するための手段とを含む、ゲルエンクロージャ、ならびに
該プラスチックプレートを該上端部に沿って動かないように保つための該ゲルエンクロージャ上の手段、または該ゲルエンクロージャに取り付け可能な手段であって、それにより、スラブゲルが該空洞内に存在して該プラスチックプレートに対して外側方向の力を加える場合に該空洞の内側で発生する圧力に曝露される際に、該上端部に沿って該事前選択された幅を維持する、手段
を含む、電気泳動スラブゲルを注型するための機器。
【請求項１３】
長手方向端部を有する平坦なバーと該長手方向端部に沿った歯状の突起部の列とを含むウェル形成挿入体をさらに含む機器であって、該突起部が平板形状の空洞の内側に嵌合するサイズである、請求項12記載の機器。
【請求項１４】
平坦なバーが前面および背面を有し、かつプラスチックプレートを上端部に沿って動かないように保つための手段が、該前面から前方に突出している第一フック手段と該背面から後方に突出している第二フック手段とを含み、該第一および第二フック手段が、それぞれ、第一および第二プラスチックプレートに掛止するための形状である、請求項13記載の機器。
【請求項１５】
プラスチックプレートを上端部に沿って動かないように保つための手段が、ウェル形成挿入体に脱着可能に連結することができる取り付け部品を含み、該取り付け部品が該ウェル形成挿入体に連結される場合に、第一フック手段が第一プラスチックプレートに掛止してかつ第二フック手段が第二プラスチックプレートに掛止するような方向を向いている第一および第二フック手段を該取り付け部品が含む、請求項13記載の機器。
【請求項１６】
第一フック手段および第二フック手段のうちの一方が、歯状突起部の列に平行なタブの列である、請求項14または15記載の機器。
【請求項１７】
第一フック手段が、歯状突起部の列に平行な第一のタブの列であり、かつ第二フック手段が、歯状突起部の列に平行な第二のタブの列である、請求項14または15記載の機器。
【請求項１８】
第一および第二プラスチックプレートが上端部を有し、かつ該第一および第二プラスチックプレートが鉛直である場合に、該第二プラスチックプレートの該上端部が該第一プラスチックプレートの該上端部よりも高く、かつ第二フック手段が第一フック手段よりも高い、請求項14または15記載の機器。
【請求項１９】
プラスチックプレートを上端部に沿って動かないように保つための手段が、ウェル形成挿入体およびプレートのうちの一方の上にある第一突出部と、該突出部に面する位置で該ウェル形成挿入体および該プレートのうちの他方の上にあり、かつ該第一突出部の輪郭に対して相補的な輪郭を有する第一凹みと、第二突出部と、相補的な輪郭の第二凹みとを含み、該第一突出部および該第一凹みが該ウェル形成挿入体の一方の側部を該プラスチックプレートの一方に固定し、かつ該第二突出部および該第二凹みが該ウェル形成挿入体の反対側の側部を該プラスチックプレートの他方に固定する、請求項13記載の機器。
【請求項２０】
突出部が畝であり、かつ凹みが溝であり、すべてが台形の輪郭を有する、請求項19記載の機器。
【請求項２１】
(a)ゲル形成モノマー溶液を、開口側部を有する平板形状の空洞内に配置する工程であって、該空洞が、第一および第二の平坦なプラスチックプレート間に事前選択された幅の間隙を有する第一および第二プラスチックプレートを含むエンクロージャ内にある、工程；
(b)スラブゲルを形成するように該モノマー溶液を重合させる工程；ならびに
(c)(b)の間または後のいずれかにおいて、スラブモノマー溶液または該ゲルによって該空洞の内側で発生する圧力によって生じる該プラスチックプレートに対する任意の外側方向の力に対抗するために該プラスチックプレートに力をかける工程
を含む、電気泳動のための試料ウェルを有するスラブゲルを注型するための方法。
【請求項２２】
工程(c)が、ゲルエンクロージャを、プラスチックプレートの外側表面に接触しかつ該プラスチックプレートよりも実質的により硬質である外側エンクロージャ内に配置する工程を含む、請求項21記載の方法。
【請求項２３】
工程(c)が、積み重ねられたゲルエンクロージャを、該積み重ねられたゲルエンクロージャの最も外側のプラスチックプレートの外側表面に接触しかつ該プラスチックプレートよりも実質的により硬質である外側エンクロージャ内に配置する工程を含む、請求項21記載の方法。
【請求項２４】
外側エンクロージャが収縮ラップである、請求項22または23記載の方法。
【請求項２５】
外側エンクロージャが硬質なボックスである、請求項22または23記載の方法。
【請求項２６】
工程(c)が、プラスチックプレートの外側表面上の、空洞の開口側部に近接する位置でプラスチックプレートを係合する工程を含む、請求項21記載の方法。
【請求項２７】
工程(b)の前にウェル形成挿入体を平板形状の空洞の開口側部に挿入する工程をさらに含む方法であって、該ウェル形成挿入体が、長手方向端部を有する平坦なバーと、該長手方向端部に沿った、該平板形状の空洞の内側に嵌合するサイズの歯状突起部の列とを含む、請求項21記載の方法。
【請求項２８】
平坦なバーが、前面と、背面と、該前面から前方に突出している第一フック手段と、該背面から後方に突出している第二フック手段とを有し、工程(c)が、該第一フック手段が第一プラスチックプレートに掛止してかつ該第二フックが第二プラスチックプレートに掛止するようにウェル形成挿入体を挿入する工程を含む、請求項27記載の方法。
【請求項２９】
平坦なバーが、前面と、背面と、該前面およびプレートのうちの一方の上にある第一突出部と、該第一突出部に面する位置で該前面および該プレートのうちの他方の上にあり、かつ該第一突出部とインターロックする輪郭を有する第一凹みと、該背面および該プレートのうちの一方の上にある第二突出部と、該第二突出部に面する位置で該背面および該プレートのうちの他方の上にあり、かつ該第二突出部とインターロックする輪郭を有する第二凹みとを有する、請求項27記載の方法。
【請求項３０】
ウェル形成挿入体が前記のように挿入される場合に第一フック手段が第一プラスチックプレートに掛止してかつ第二フック手段が第二プラスチックプレートに掛止するような方向を向いている第一および第二フック手段を含む取り付け部品を該ウェル形成挿入体に連結する工程をさらに含む、請求項27記載の方法。
【請求項３１】
(a)ゲル形成モノマー溶液を、開口側部を有する平板形状の空洞内に配置する工程であって、該空洞が、第一および第二の平坦なプラスチックプレート間に事前選択された幅の間隙を有する第一および第二プラスチックプレートを含むエンクロージャ内にある、工程；
(b)スラブゲルを形成するように該モノマー溶液を重合させる工程；ならびに
(c)(b)の間または後のいずれかにおいて、大気圧よりも低い圧力を該空洞にかけて、該大気圧よりも低い圧力を維持するために該エンクロージャを密封する工程
を含む、電気泳動のための試料ウェルを有するスラブゲルを注型するための方法。
【手続補正２】
【補正対象書類名】明細書
【補正対象項目名】００１２
【補正方法】変更
【補正の内容】
【００１２】
[本発明1001]
開口側部を有する平板形状の空洞を画定し、第一および第二の平坦なプラスチックプレートと、該プラスチックプレート間に事前選択された幅の間隙を有する状態で該プレートを一緒に固定するための手段とを含む、ゲルエンクロージャ、ならびに
スラブゲルが該空洞内に保持されて該プラスチックプレートに対して外側方向の力を加える場合に、該空洞の内側で発生する圧力に対抗して該事前選択された幅を維持するための脱着可能な手段
を含む、電気泳動スラブゲルを注型するための機器。
[本発明1002]
事前選択された幅を維持するための脱着可能な手段が、ゲルエンクロージャの周りに脱着可能に配置されかつプラスチックプレートの外側表面に接触する外側エンクロージャを含み、該外側エンクロージャが、該ゲルエンクロージャの該プラスチックプレートよりも実質的により高い剛性を有する、本発明1001の機器。
[本発明1003]
事前選択された幅を維持するための脱着可能な手段が、積み重ねられたゲルエンクロージャの最も外側のプラスチックプレートの外側表面に接触しながら該積み重ねられたゲルエンクロージャを収容する外側エンクロージャを含み、該外側エンクロージャが、該ゲルエンクロージャのプラスチックプレートよりも実質的により高い剛性を有する、本発明1001の機器。
[本発明1004]
外側エンクロージャが収縮ラップである、本発明1001または1002の機器。
[本発明1005]
外側エンクロージャが硬質なボックスである、本発明1001または1002の機器。
[本発明1006]
長手方向端部を有する平坦なバーと該長手方向端部に沿った歯状の突起部の列とを含むウェル形成挿入体をさらに含む機器であって、該突起部が平板形状の空洞の内側に嵌合するサイズである、本発明1001の機器。
[本発明1007]
対向する上端部および下端部と対向する側端部とを有する矩形の平板形状の空洞を画定し、第一および第二の平坦なプラスチックプレートと、該プラスチックプレート間に事前選択された幅の間隙を有する状態で該プレートを該空洞の該側端部に沿って一緒に固定するための手段とを含む、ゲルエンクロージャ、ならびに
該プラスチックプレートを該上端部に沿って動かないように保つための該ゲルエンクロージャ上の手段、または該ゲルエンクロージャに取り付け可能な手段であって、それにより、スラブゲルが該空洞内に存在して該プラスチックプレートに対して外側方向の力を加える場合に該空洞の内側で発生する圧力に曝露される際に、該上端部に沿って該事前選択された幅を維持する、手段
を含む、電気泳動スラブゲルを注型するための機器。
[本発明1008]
長手方向端部を有する平坦なバーと該長手方向端部に沿った歯状の突起部の列とを含むウェル形成挿入体をさらに含む機器であって、該突起部が平板形状の空洞の内側に嵌合するサイズである、本発明1007の機器。
[本発明1009]
平坦なバーが前面および背面を有し、かつプラスチックプレートを上端部に沿って動かないように保つための手段が、該前面から前方に突出している第一フック手段と該背面から後方に突出している第二フック手段とを含み、該第一および第二フック手段が、それぞれ、第一および第二プラスチックプレートに掛止するための形状である、本発明1008の機器。
[本発明1010]
プラスチックプレートを上端部に沿って動かないように保つための手段が、ウェル形成挿入体に脱着可能に連結することができる取り付け部品を含み、該取り付け部品が該ウェル形成挿入体に連結される場合に、第一フック手段が第一プラスチックプレートに掛止してかつ第二フック手段が第二プラスチックプレートに掛止するような方向を向いている第一および第二フック手段を該取り付け部品が含む、本発明1008の機器。
[本発明1011]
第一フック手段および第二フック手段のうちの一方が、歯状突起部の列に平行なタブの列である、本発明1009または1010の機器。
[本発明1012]
第一フック手段が、歯状突起部の列に平行な第一のタブの列であり、かつ第二フック手段が、歯状突起部の列に平行な第二のタブの列である、本発明1009または1010の機器。
[本発明1013]
第一および第二プラスチックプレートが上端部を有し、かつ該第一および第二プラスチックプレートが鉛直である場合に、該第二プラスチックプレートの該上端部が該第一プラスチックプレートの該上端部よりも高く、かつ第二フック手段が第一フック手段よりも高い、本発明1009または1010の機器。
[本発明1014]
プラスチックプレートを上端部に沿って動かないように保つための手段が、ウェル形成挿入体およびプレートのうちの一方の上にある第一突出部と、該突出部に面する位置で該ウェル形成挿入体および該プレートのうちの他方の上にあり、かつ該第一突出部の輪郭に対して相補的な輪郭を有する第一凹みと、第二突出部と、相補的な輪郭の第二凹みとを含み、該第一突出部および該第一凹みが該ウェル形成挿入体の一方の側部を該プラスチックプレートの一方に固定し、かつ該第二突出部および該第二凹みが該ウェル形成挿入体の反対側の側部を該プラスチックプレートの他方に固定する、本発明1008の機器。
[本発明1015]
突出部が畝であり、かつ凹みが溝であり、すべてが台形の輪郭を有する、本発明1009の機器。
[本発明1016]
前面、背面、および長手方向端部を有する平坦なバー、
該長手方向端部に沿った歯状の突起部の列、
該前面から前方に突出している第一フック手段、ならびに
該背面から後方に突出している第二フック手段
を含む、電気泳動スラブゲルが平行で平坦な注型プレートの間で注型される際に該ゲルに試料ウェルの列を形成するために該プレートの対の間へ挿入するための装置であって、該第一および第二フック手段が、該歯状突起部が該注型プレートの間にある状態で該注型プレートをお互いから一定の距離をおいてお互いに平行に保つための形状である、装置。
[本発明1017]
第一フック手段および第二フック手段のうちの一方が、前面に平行でありかつ該前面から均等に間隔をあけて配置されたタブの列である、本発明1016の装置。
[本発明1018]
第一フック手段が、前面に平行でありかつ該前面から均等に間隔をあけて配置された第一のタブの列であり、第二フック手段が、背面に平行でありかつ該背面から均等に間隔をあけて配置された第二のタブの列である、本発明1016の装置。
[本発明1019]
前面および背面が鉛直である場合、第二フック手段が第一フック手段よりも高い、本発明1016の装置。
[本発明1020]
(a)ゲル形成モノマー溶液を、開口側部を有する平板形状の空洞内に配置する工程であって、該空洞が、第一および第二の平坦なプラスチックプレート間に事前選択された幅の間隙を有する第一および第二プラスチックプレートを含むエンクロージャ内にある、工程；
(b)スラブゲルを形成するように該モノマー溶液を重合させる工程；ならびに
(c)(b)の間または後のいずれかにおいて、スラブモノマー溶液または該ゲルによって該空洞の内側で発生する圧力によって生じる該プラスチックプレートに対する任意の外側方向の力に対抗するために該プラスチックプレートに力をかける工程
を含む、電気泳動のための試料ウェルを有するスラブゲルを注型するための方法。
[本発明1021]
工程(c)が、ゲルエンクロージャを、プラスチックプレートの外側表面に接触しかつ該プラスチックプレートよりも実質的により硬質である外側エンクロージャ内に配置する工程を含む、本発明1020の方法。
[本発明1022]
工程(c)が、積み重ねられたゲルエンクロージャを、該積み重ねられたゲルエンクロージャの最も外側のプラスチックプレートの外側表面に接触しかつ該プラスチックプレートよりも実質的により硬質である外側エンクロージャ内に配置する工程を含む、本発明1020の方法。
[本発明1023]
外側エンクロージャが収縮ラップである、本発明1021または1022の方法。
[本発明1024]
外側エンクロージャが硬質なボックスである、本発明1021または1022の方法。
[本発明1025]
工程(c)が、プラスチックプレートの外側表面上の、空洞の開口側部に近接する位置でプラスチックプレートを係合する工程を含む、本発明1020の方法。
[本発明1026]
工程(b)の前にウェル形成挿入体を平板形状の空洞の開口側部に挿入する工程をさらに含む方法であって、該ウェル形成挿入体が、長手方向端部を有する平坦なバーと、該長手方向端部に沿った、該平板形状の空洞の内側に嵌合するサイズの歯状突起部の列とを含む、本発明1020の方法。
[本発明1027]
平坦なバーが、前面と、背面と、該前面から前方に突出している第一フック手段と、該背面から後方に突出している第二フック手段とを有し、工程(c)が、該第一フック手段が第一プラスチックプレートに掛止してかつ該第二フックが第二プラスチックプレートに掛止するようにウェル形成挿入体を挿入する工程を含む、本発明1026の方法。
[本発明1028]
平坦なバーが、前面と、背面と、該前面およびプレートのうちの一方の上にある第一突出部と、該第一突出部に面する位置で該前面および該プレートのうちの他方の上にあり、かつ該第一突出部とインターロックする輪郭を有する第一凹みと、該背面および該プレートのうちの一方の上にある第二突出部と、該第二突出部に面する位置で該背面および該プレートのうちの他方の上にあり、かつ該第二突出部とインターロックする輪郭を有する第二凹みとを有する、本発明1026の方法。
[本発明1029]
ウェル形成挿入体が前記のように挿入される場合に第一フック手段が第一プラスチックプレートに掛止してかつ第二フック手段が第二プラスチックプレートに掛止するような方向を向いている第一および第二フック手段を含む取り付け部品を該ウェル形成挿入体に連結する工程をさらに含む、本発明1026の方法。
[本発明1030]
(a)ゲル形成モノマー溶液を、開口側部を有する平板形状の空洞内に配置する工程であって、該空洞が、第一および第二の平坦なプラスチックプレート間に事前選択された幅の間隙を有する第一および第二プラスチックプレートを含むエンクロージャ内にある、工程；
(b)スラブゲルを形成するように該モノマー溶液を重合させる工程；ならびに
(c)(b)の間または後のいずれかにおいて、大気圧よりも低い圧力を該空洞にかけて、該大気圧よりも低い圧力を維持するために該エンクロージャを密封する工程
を含む、電気泳動のための試料ウェルを有するスラブゲルを注型するための方法。
他の特徴および変形例は、当業者には明らであろうし、いくつかについては下記に示し説明する。